(57)【要約】【課題】就寝時の特に横臥姿勢において、左右のバストが上下に重なるように近づくことなく、就寝時にバストを圧迫することなく、バストを安定的に保持して型崩れさせることのないブラジャーを提供する。【解決手段】左右のカップ部１を構成するカップ本体布２のそれぞれの両側に位置する部分に、伸縮性を有し緊締力が強いネット状の布であるパワーネットＮを配した支持布４を備えたものとしている。【選択図】    図３
2012107368.tif 000002
【特許請求の範囲】
【請求項１】
左右のカップ部（１）を構成するカップ本体布（２）のそれぞれの両側に位置する部分に、伸縮性を有し緊締力が強いネット状の布であるパワーネット（Ｎ）を配した支持布（４）を備えたことを特徴とするブラジャー。
【請求項２】
前記支持布（４）を二枚布からなるものとし、これら二枚布の間に前記パワーネット（Ｎ）を配したことを特徴とする請求項１記載のブラジャー。
【請求項３】
前記カップ本体布（２）の間に離間布（３）を備えたものとし、前記支持布（４）の裏面において、この支持布（４）と、前記カップ本体布（２）およびカップ離間布（３）との境界部に、着用者のバスト隆起部の下方略外輪線に沿うようにした伸縮バンド（８）を取り付けたことを特徴とする請求項１または２記載のブラジャー。
【請求項４】
前記カップ本体布（２）の後側に位置する背面布（５）と、前記カップ本体布（２）の上側に位置する肩掛布（６）を備え、これら背面布（５）と肩掛布（６）をそれぞれ途中で分割させず連続させ、かぶりタイプにしたことを特徴とする請求項１〜３の何れかに記載のブラジャー。
【発明の詳細な説明】
【技術分野】
【０００１】
この発明は、就寝時に着用するのに適したブラジャーに関するものである。
【背景技術】
【０００２】
従来、この種のブラジャーとしては、例えば図４に示したようなナイト用のブラジャーが存在する。このブラジャーは、女性のバストをそれぞれ覆う左右のバストカップ部１１、１２を備えている。これらの左右のバストカップ部１１、１２は、これらのバストカップ部１１、１２の内側の下端部どうしが、互いにパイプ状に形成された下端縁によって接合されている。また、前記左右のバストカップ部１１、１２の側方は、これらのバストカップ部１１、１２と一体的に形成された側布１３によって、女性の体の背面側で互いに連結されている。さらに、前記左右のカップ部１１、１２の三角形状に形成された上端部には、女性の肩に掛けるストラップ１４、１５がそれぞれ装着されている。またさらに、前記左右のバストカップ部１１、１２には、適宜にカットされた装飾用のテープ１６を、バストのトップ部分から螺旋状にタック状態に縫い止めされ、装飾が施されている（特許文献１）。
【０００３】
そして、このブラジャーは、左右のバストカップ部１１、１２の内側の縫着部と、左右のバストカップ部１１、１２の上端部に、装着用の紐１７がそれぞれ縫着されており、これらの装着用紐１７を結ぶことによって、ブラジャーを着用するようになっているとしている。
【０００４】
このように構成された従来のブラジャーは、就寝時の着用感と肌当たりを向上させると共に、装飾性を付与して視覚性を高めることができ、さらに着脱性を容易にすることができるとしている。
【０００５】
さらに、この種のブラジャーとしては、例えば図５に示したような就寝用のブラジャーが存在する。このブラジャーは、右側のバストを包み込む三日月状の右側バストカップ２１と、左側のバストを包み込む三日月状の左側バストカップ２２と、右側バストカップ２１および左側バストカップ２２を保持する保持パネル２３と、保持パネル２３を胴体に固定する胴回パネル２４と、保持パネル２３を吊上げる肩掛部２５とを備えている。さらに、前記保持パネル２３は、右側バストカップ２１および左側バストカップ２２の一方端部どうしおよび他方端部どうしを交差させた状態でこれらの外周縁に縫い付けられているとしている（特許文献２）。
【０００６】
そして、このブラジャーは、前記右側バストカップ２１および左側バストカップ２２が、バストの下部、中央部および上部を覆う本体パネル２６、２７と、脇側部を覆う側部パネル２８、２９とによって立体縫製されているとしている。
【０００７】
このように構成された従来のブラジャーは、装着した状態では、バストカップ２１および２２がバストに密着し、起きている時でも寝ている時でもバストを胸の中央部へ引き寄せることができ、バストを理想の形に保持することができるとしている。
【先行技術文献】
【特許文献】
【０００８】
【特許文献１】特開２００２−６９７０８号公報
【特許文献２】実用新案登録第３１０７３８４号公報
【発明の概要】
【発明が解決しようとする課題】
【０００９】
上記図４に示した従来のブラジャーは、就寝時の着用感と肌当たりを向上させると共に、装飾性を付与して視覚性を高めることができ、さらに着脱性を容易にすることができるとしても、就寝時においてバストを安定的に保持して型崩れさせることのないようにしたものではない。
【００１０】
さらに、図５に示した従来のブラジャーは、起きている時でも寝ている時でもバストを胸の中央部へ引き寄せることができ、バストを理想の形に保持することができるとしているが、バストを圧迫するものであるので、起床時においてはそれほど気にならないが、就寝時においては非常に気になり、就寝時において使用するのには不向きなものである。
【００１１】
そこで、この発明は、上記従来の問題点を解決することをその課題としており、就寝時の特に横臥姿勢において、左右のバストが上下に重なるように近づくことなく、就寝時にバストを圧迫することなく、バストを安定的に保持して型崩れさせることのないブラジャーを提供することを目的としてなされたものである。
【課題を解決するための手段】
【００１２】
そのため、この発明のブラジャーは、左右のカップ部１を構成するカップ本体布２のそれぞれの両側に位置する部分に、伸縮性を有し緊締力が強いネット状の布であるパワーネットＮを配した支持布４を備えたものとしている。
【００１３】
そして、この発明のブラジャーは、前記支持布４を二枚布からなるものとし、これら二枚布の間に前記パワーネットＮを配したものとしている。
【００１４】
さらに、この発明のブラジャーは、前記カップ本体布２の間に離間布３を備えたものとし、前記支持布４の裏面において、この支持布４と、前記カップ本体布２およびカップ離間布３との境界部に、着用者のバスト隆起部の下方略外輪線に沿うようにした伸縮バンド８を取り付けたものとしている。
【００１５】
また、この発明のブラジャーは、前記カップ本体布２の後側に位置する背面布５と、カップ本体布２の上側に位置する肩掛布６を備え、これら背面布５と肩掛布６をそれぞれ途中で分割させず連続させ、かぶりタイプにしている。
【発明の効果】
【００１６】
この発明のブラジャーは、以上に述べたように構成されているので、就寝時の特に横臥姿勢において、左右のバストが上下に重なるように近づくことなく、就寝時にバストを圧迫することなく、バストを安定的に保持して型崩れさせることがないものとなる。
【図面の簡単な説明】
【００１７】
【図１】この発明のブラジャーの正面図である。
【図２】この発明のブラジャーの背面図である。
【図３】この発明のブラジャーの正面裏側を一部破断して示す説明図である。
【図４】従来のブラジャーの一例を示す斜視図である。
【図５】従来のブラジャーの他の例を示す斜視図である
【発明を実施するための形態】
【００１８】
以下、この発明のブラジャーを実施するための形態を、図面に基づいて詳細に説明する。
【００１９】
この発明のブラジャーは、図１〜３に示したように、左右のカップ部１を構成するカップ本体布２と、これらカップ本体布２の間に位置するカップ離間布３と、これらカップ本体布２の下側から両側に位置する支持布４と、カップ本体布２および支持布４の後側に位置する背面布５と、カップ本体布２の上側に位置する肩掛布６を備えたものとし、首周りおよび脇周りには縁取り７を施している。
【００２０】
カップ本体布２は、正面布２ａ、脇側布２ｂ、上側布２ｃからなり、伸縮性を有すると共に通気性を有する布とし、正面布２ａおよび脇側布２ｂを二枚布からなるものとし、上側布２ｃを一枚布からなるものとしている。正面布２ａの上辺は、上側布２ｃの下辺に縫着し、正面布２ａの側辺と上側布２ｃの側辺は、脇側布２ｂの側辺に縫着している。
【００２１】
カップ離間布３は、伸縮性を有すると共に通気性を有する布とし、二枚布からなるものとし、両側辺をそれぞれカップ本体布２の正面布２ａの側辺と上側布２ｃの側辺に縫着している。なお、このように縫着する場合、前記正面布２ａと上側布２ｃのカップ離間布３寄りには、それぞれギャザーＧを設けて、着用者のバストに対応させて膨らむようにしている。
【００２２】
支持布４は、伸縮性を有すると共に通気性を有する布とし、二枚布からなるものとし、それぞれのカップ本体布２の両側に位置する部分に、伸縮性を有し緊締力が強いネット状の布であるパワーネットＮを配して、このパワーネットＮと共に、内側辺４ａをカップ本体布２の脇側布２ｂの側辺に、上辺４ｂを縁取り７に、外側辺４ｃを背面布５の側辺に、それぞれ縫着し、内下辺４ｄはカップ本体布２の脇側布２ｂの下辺および正面布２ａの下辺に縫着している。前記パワーネットＮは、支持布４の裏面に配したものとしてもよいが、二枚布からなる支持布４の間に配したものとするのが、このパワーネットＮが着用者の肌に直に接触しないので好ましい。また、前記パワーネットＮの面積比率をカップ本体布２の２５〜５０％とするのが、以下に述べるような効果を発揮するのに好ましいものとなる。さらに、前記支持布４の裏面において、この支持布４と、左右のカップ本体布２およびカップ離間布３とを縫着する境界部には、着用者のバスト隆起部の下方略外輪線に沿うようにしたゴムバンド等の伸縮バンド８を取り付けたものとしている。
【００２３】
背面布５は、伸縮性を有すると共に通気性を有する布とし、一枚布からなるものとし、側辺を前記したようにパワーネットＮと共に支持布４の外側辺４ｃに縫着している。そして、この背面布５の下端と前記支持布４の下端により形成されるブラジャーの下端周縁の裏面には、着用者のバスト下方の胴体部周囲に沿うようにしたゴムバンド等の伸縮バンド９を取り付けたものとしている。なお、前記背面布５は、背中の中央などの途中で分割させず連続させたものとして、ブラジャーをかぶりタイプのものにし、就寝時に着用し易いものとしているが、途中で分割して、留め具を設けたものとして、ブラジャーを後止めタイプのものにしてもよい。
【００２４】
肩掛布６は、伸縮性を有すると共に通気性を有する布とし、一枚布からなるものとし、カップ本体布２の脇側布２ｂの上辺と、背面布５の上辺との間に、一体布または別体布として、掛け渡したものとしている。なお、前記肩掛布６は、肩から胸元にかかる途中で分割させず連続させたものにして、ブラジャーをかぶりタイプのものにし、就寝時に着用し易いものとしているが、途中で分割して、留め具を設けたものとして、ブラジャーを止めタイプのものにしてもよい。
【００２５】
以上のように構成されたこの発明のブラジャーでは、着用者が仰臥姿勢で就寝しているときは、伸縮性を有するカップ本体布２からなるカップ部１に納められた着用者の左右のバストが、カップ離間布３によって離されると共に伸縮バンド８によってそれぞれ包囲され、これらのカップ部１で移動しにくい状態に維持され、バストが型崩れしにくいようになる。
【００２６】
さらに、この発明のブラジャーでは、着用者が横臥姿勢で就寝している場合には、前記カップ部１で移動しにくい状態に維持された左右のバストの上になった方のバストが、パワーネットＮの緊締力によって、下方に垂れるのを引き上げられ、しかも左右のバストはカップ離間布３によって離されているので、上下に重なるように近づくことなく、就寝時にバストを圧迫することがない。なお、前記パワーネットＮの緊締力は、ブラジャーのサイズ、着用者の使用感などに応じて、適切な強さにしておくのはいうまでもない。
【００２７】
したがって、この発明のブラジャーは、着用者が仰臥姿勢で就寝している場合に、バストを型崩れさせることがないものとなるが、特に横臥姿勢で就寝している場合において、左右のバストが上下に重なるように近づくことなく、就寝時にバストを圧迫することなく、バストを安定的に保持して型崩れさせることがないものとなり、就寝時の横臥姿勢において、特に効果を発揮するものとなる。
【符号の説明】
【００２８】
１  カップ部
２  カップ本体布
３  カップ離間布
４  支持布
５  背面布
６  肩掛布
８  伸縮バンド
Ｎ  パワーネット
【図１】
2012107368.tif 000003
【図２】
2012107368.tif 000004
【図３】
2012107368.tif 000005
【図４】
2012107368.tif 000006
【図５】
2012107368.tif 000007